(57)【要約】【課題】複数の金種の硬貨を釣銭として出金する自動釣銭機４０７において、低価格で簡単な構成で、短時間に釣銭硬貨を取り出して確認できるようにする。【解決手段】金種ごとに特定の種別を設定する種別設定手段１２と、釣銭金額に応じて前記設定された種別ごとの枚数を計数する種別枚数計数手段１０と、前記種別ごとに分割して出金するか否かを判定するための分割出金判定情報１４を設定する分割出金設定手段１１と、前記種別ごとの枚数の情報１５と前記分割出金判定情報１４に基づいて、分割して出金するか否かを判定し前記種別ごとに分割または一度に出金させる分割出金判定手段１３を設けた。【選択図】図１
2012178063.tif 000002
【特許請求の範囲】
【請求項１】
複数の金種の硬貨を釣銭として出金する自動釣銭機において、
金種ごとに特定の種別を設定する種別設定手段と、
釣銭金額に応じて前記設定された種別ごとの枚数を計数する種別枚数計数手段と、
前記種別ごとに分割して出金するか否かを判定するための分割出金判定情報を設定する分割出金設定手段と、
前記種別ごとの枚数の情報と前記分割出金判定情報に基づいて、分割して出金するか否かを判定し前記種別ごとに分割または一度に出金させる分割出金判定手段と、を設けたことを特徴とする自動釣銭機。
【請求項２】
前記分割出金判定情報は、種別ごとに分割して出金するか否かをあらかじめ設定した設定値とするようにしたことを特徴とする請求項１記載の自動釣銭機。
【請求項３】
前記分割出金判定情報は、種別ごとの基準枚数であって、
前記分割出金判定手段は、前記種別ごとの枚数と前記種別ごとの基準枚数とを比較して判定し前記種別ごとに分割または一度に出金させるようにしたことを特徴とする請求項１記載の自動釣銭機。
【請求項４】
前記分割出金判定手段は、すべての種別の出金枚数がそれぞれ対応する種別の基準枚数以上であったとき、または、いずれかの種別の出金枚数が対応する種別の基準枚数以上であったときは、種別ごとに分割して出金するようにしたことを特徴とする請求項３記載の自動釣銭機。
【請求項５】
前記種別は、高額硬貨または低額硬貨としたことを特徴とする請求項１ないし請求項４いずれか記載の自動釣銭機。
【発明の詳細な説明】
【技術分野】
【０００１】
本発明は、スーパーマーケットやコンビニエンスストアなどの店舗のレジで使用されるＰＯＳレジスタ等に接続される自動釣銭機に関するものである。
【背景技術】
【０００２】
一般に、スーパーマーケットやコンビニエンスストアなどの店舗のレジで使用されるＰＯＳレジスタおよび自動釣銭機は、図７に示したような外観構成をしており、上側にＰＯＳレジスタ４０１が配置され、下側に自動釣銭機４０７が配置されている。
【０００３】
そして、自動釣銭機４０７は、紙幣入出金部４１０と硬貨入出金部４１４からなり、硬貨入出金部４１４の前面側には、顧客から受け取った硬貨を投入する硬貨入金口４１５と、顧客へ釣銭として支払う硬貨を払い出す硬貨出金口４１６と、受け入れ不能と判別された硬貨を収納する硬貨リジェクト口４１７が設けられている。
【０００４】
また、紙幣入出金部４１０の前面側には、顧客から受け取った紙幣を入金したり顧客へ釣銭として支払う紙幣を払い出したりする紙幣入出金口４１１と、紙幣を収納する紙幣回収カセット４１２が設けられており、その上部には自動釣銭機４０７の状態を表示し自動釣銭機４０７の操作を行う操作表示部４０９が設けられている。
【０００５】
また、ＰＯＳレジスタ４０１には、硬貨入出金部４１４の硬貨や紙幣入出金部４１０内の紙幣の回収および補充指示を入力するためのキーなどが備えら、ＰＯＳレジスタ４０１の操作を行うとともに商品の金額などが表示される操作表示部４０２や、レシートを印字するレシート印字部４０３などが設けられている。
【０００６】
次に、ＰＯＳレジスタ４０１および自動釣銭機４０７の内部の構成を、図８を用いて以下説明する。同図に示したように、ＰＯＳレジスタ４０１の内部は、前記操作表示部４０２と、前記レシート印字部４０３と、自動釣銭機４０７との通信を行う通信部４０４が具備されており、これらが制御部４０５に接続されてＰＯＳレジスタ全体の制御が行われる。また、制御部４０５にはＰＯＳレジスタの各種設定値などを記憶する記憶部４０６が接続されている。
【０００７】
一方、自動釣銭機４０７の内部は、ＰＯＳレジスタ４０１と通信を行う通信部４０８と、前述した操作表示部４０９、紙幣入出金部４１０、硬貨入出金部４１４が具備されており、これらが制御部４１９に接続され、自動釣銭機４０７全体の制御が行われる。また、制御部４１９には自動釣銭機４０７の各種設定値などを記憶する記憶部４２０が接続されている。
【０００８】
そして、紙幣入出金部４１０には、紙幣入出金口４１１、紙幣回収カセット４１２、紙幣残留検知センサ４１３が具備されており、硬貨入出金部４１４には、硬貨入金口４１５、硬貨出金口４１６、硬貨リジェクト口４１７および硬貨残留検知センサ４１８が具備されている。
【０００９】
以上の構成より従来のＰＯＳレジスタ４０１と自動釣銭機４０７は、以下のように動作していた。これらの動作として本発明に係る商品の購入代金支払いと釣銭の出金動作を図９の動作フローチャートを用いて説明する。
【００１０】
ここで、自動釣銭機４０７の動作としては、顧客から受け取った商品の購入代金（以下、「預り金」という）を自動釣銭機４０７に入金し自動釣銭機４０７にて計数し、計数した預り金と購入金額との差額を釣銭として出金する入金先行動作と、預り金の金額をＰＯＳレジスタに入力し、釣銭を出金させた後、預り金を自動釣銭機に入金して計数する釣銭先行動作があるが、以下の説明では便宜上釣銭先行動作を例として説明する。
【００１１】
まず、レジ係員が、商品のバーコードをＰＯＳレジスタ４０１に接続される図示しないバーコードリーダで読み込ませると（ステップＳ５０１）、商品の名称や単価、数量および合計金額等がＰＯＳレジスタ４０１の操作表示部４０２に表示される（ステップＳ５０２）。
【００１２】
さらに、購入する商品がある場合には、前述と同様に商品のバーコードを読み取らせ、全ての商品のバーコードの読み取りが完了すると（ステップＳ５０３）、レジ係員は操作表示部４０２に表示されている合計金額を確認して顧客から預り金を受け取り、操作表示部４０２から預り金の金額を入力する（ステップＳ５０４）。
【００１３】
すると、ＰＯＳレジスタ４０１の制御部４０５は商品の合計金額と預り金を比較し、釣銭の有無を判定し（ステップＳ５０５）、釣銭が有る場合は、自動釣銭機４０７に対して通信部４０４を介して釣銭の出金指示を送信し（ステップＳ５０６）、釣銭が無い場合は、釣銭の出金指示をしないで、レシート印字部４０３で取引結果をレシートに印字する（ステップＳ５０７８）。
【００１４】
そして、ＰＯＳレジスタ４０１は、自動釣銭機４０７からの出金完了報告を待つ（ステップＳ５０８７）。
【００１５】
そして、通信部４０８を介してステップＳ５０６のＰＯＳレジスタ４０１からの出金指示を受信した自動釣銭機４０７の制御部４１９は（ステップＳ５０９）、紙幣入出金部４１０と硬貨入出金部４１４に対して出金指示をする（ステップＳ５１０）。
【００１６】
そして、出金指示を受けた紙幣入出金部４１０は釣銭紙幣を計数して紙幣入出金口４１１へ釣銭紙幣を出金し、硬貨入出金部４１４は釣銭硬貨を計数して硬貨出金口４１６に釣銭硬貨を出金する。
【００１７】
ところで、硬貨の釣銭が釣銭金額の最大９９９円の場合、自動釣銭機４０７内に格納された各金種の硬貨にいずれも不足がなければ、５００円硬貨１枚、１００円硬貨４枚、５０円硬貨１枚、１０円硬貨４枚、５円硬貨１枚、１円硬貨４枚の合計１５枚が一度に全て硬貨出金口４１６に出金されることになる。高額硬貨が不足していれば、さらに釣銭枚数が増加する。
【００１８】
再び図９に戻って、自動釣銭機４０７は、釣銭の出金が完了すると（ステップＳ５１１）、通信部４０８を介して出金完了報告をＰＯＳレジスタ４０１に送信する（ステップＳ５１２）。
【００１９】
ＰＯＳレジスタ４０１が通信部４０４から前記出金完了報告を受信すると（ステップＳ５０７）、レシート印字部４０３で取引結果をレシートに印字する（ステップＳ５０８）。レジ係員は紙幣入出金口４１１および硬貨出金口４１６から釣銭を取り出し、釣銭金額を確認してレシートとともに顧客に渡す。
【００２０】
そして、制御部４０５は自動釣銭機４０７に対し通信部４０４を介して預り金の入金指示を送信し（ステップＳ５１３）、自動釣銭機４０７からの入金完了報告を待つ（ステップＳ５１４）。
【００２１】
自動釣銭機４０７は通信部４０８から入金指示を受信すると（ステップＳ５１５）、制御部４１９は紙幣入出金部４１０と硬貨入出金部４１４に対して入金指示をする（ステップＳ５１６）。
【００２２】
レジ係員が、預り金を紙幣入出金口４１１および硬貨入金口４１５から入金すると（ステップＳ５１７）、紙幣入出金部４１０と硬貨入出金部４１４は入金された紙幣と硬貨を計数し、入金が完了すると（ステップＳ５１８）、通信部４０８を介して入金完了報告をＰＯＳレジスタ４０１に送信し、入出金処理を終了する（ステップＳ５１９）。
【００２３】
そして、ＰＯＳレジスタ４０１は通信部４０４から自動釣銭機４０７からの入金完了報告を受信すると（ステップＳ５１４）、商品の販売動作を終了する。
【００２４】
以上のように従来の自動釣銭機では、一度に全ての硬貨を硬貨出金口４１６に出金するために、釣銭硬貨の金種および枚数が多くなる金額の場合には、硬貨出金口４１６で多数の金種の硬貨が混ざり合い、釣銭に過不足がないかを確認するのに時間がかかるという問題や、枚数が多く一度につかみ取り難いといった問題があった。
【００２５】
この問題を解決する技術として、大きさ順もしくは金額順に繰り出す硬貨繰出部と、繰り出された硬貨を平積みする硬貨保留筒と、平積みされた硬貨を平積みされた状態で硬貨払出口から吐出させる吐出筒を備え、釣銭金額を短時間に確認できるようにした技術はあった（例えば、特許文献１参照）。
【先行技術文献】
【特許文献】
【００２６】
【特許文献１】特開２００１−３５１１３６号公報
【発明の概要】
【発明が解決しようとする課題】
【００２７】
しかしながら、上記従来の自動釣銭機では、釣銭金額を短時間に確認できるようになるが、大きさ順もしくは金額順に繰り出された硬貨を平積みする硬貨保留筒や平積みされた硬貨を吐出させる吐出筒などを設ける必要があり、構成が複雑になり装置コストも高くなってしまうといった問題があった。
【課題を解決するための手段】
【００２８】
本発明は、前述の課題を解決するために次の構成を採用する。すなわち、複数の金種の硬貨を釣銭として出金する自動釣銭機において、金種ごとに特定の種別を設定する種別設定手段と、釣銭金額に応じて前記設定された種別ごとの枚数を計数する種別枚数計数手段と、前記種別ごとに分割して出金するか否かを判定するための分割出金判定情報を設定する分割出金設定手段と、前記種別ごとの枚数の情報と前記分割出金判定情報に基づいて、分割して出金するか否かを判定し前記種別ごとに分割または一度に出金させる分割出金判定手段と、を設けた。
【発明の効果】
【００２９】
本発明の自動釣銭機によれば、以上のように構成したので、低価格で簡単な構成で、短時間に釣銭硬貨を取り出して確認できるようにすることができる。
【図面の簡単な説明】
【００３０】
【図１】実施例１の自動釣銭機の要部構成を説明する図である。
【図２】実施例１の自動釣銭機の高額硬貨設定レジスタおよび低額硬貨設定レジスタの例示図である。
【図３】実施例１のＰＯＳレジスタおよび自動釣銭機の動作フローチャート図である。
【図４】実施例２の自動釣銭機の要部構成を説明する図である。
【図５】実施例２の自動釣銭機の分割出金閾値レジスタの例示図である。
【図６】実施例２の自動釣銭機の分割出金判定処理の動作フローチャート図である。
【図７】ＰＯＳレジスタおよび自動釣銭機の外観構成図である。
【図８】ＰＯＳレジスタおよび自動釣銭機の内部構成図である。
【図９】従来のＰＯＳレジスタおよび自動釣銭機の動作フローチャート図である。
【発明を実施するための形態】
【００３１】
以下、図面を用いて本発明に係わる実施の形態例を説明する。図面に共通する要素には同一の符号を付す。なお、以下の説明では、硬貨の釣銭を例として説明するが、紙幣の釣銭にも本発明を適用することができる。
【実施例１】
【００３２】
（構成）
実施例１のＰＯＳレジスタと自動釣銭機の構成は、図７および図８の従来のＰＯＳレジスタ４０１と自動釣銭機４０７の外観図および内部構成図にて説明した構成と同様であるので、簡略化のためにその詳細な説明は省略する。
【００３３】
図１（ａ）は実施例１の自動釣銭機４０７の要部機能ブロック図であり、図１（ｂ）は実施例１の自動釣銭機４０７の記憶部４２０の要部構成を示す図である。
【００３４】
図１において、分割出金設定手段１１は、分割出金するか否か表す値を分割出金設定レジスタ１０１に格納するとともに、当該値を分割出金判定情報１４として分割出金判定手段１３に渡す機能を有する。
【００３５】
なお、分割出金するか否かの設定は、ＰＯＳレジスタ４０１の操作表示部４０２を用いてあらかじめ設定しこれを分割出金判定情報として受信し分割出金設定レジスタ１０１に格納するようにすればよく、例えば、分割出金をする場合は「１」、分割出金しない場合は「０」を設定しておくようにすればよい。勿論、自動釣銭機４０７の操作表示部４０９を用いて当該値を設定し分割出金設定レジスタ１０１に格納するようにしてもよい。
【００３６】
また、種別設定手段１２は、あらかじめ高額、低額等のような種別に各金種を設定できる機能を有し、当該設定値を高額硬貨設定レジスタ１０２および低額硬貨設定レジスタ１０３に格納する機能を有する。
【００３７】
図２は、前述の高額硬貨設定レジスタ１０２および低額硬貨設定レジスタ１０３の構成を示す例示図であり、高額硬貨設定レジスタ１０２および低額硬貨設定レジスタ１０３をそれぞれ８ビットで構成し、「１」となっている硬貨を高額硬貨または低額硬貨として種別を分けることを示している。
【００３８】
図２の例では、５００円、１００円、５０円硬貨を高額硬貨とし、１０円、５円、１円硬貨を低額硬貨として種別を分ける例を示している。
【００３９】
再び図１に戻って、種別枚数計数手段１０は、ＰＯＳレジスタ４０１からの出金指示とともに送付されてくる釣銭情報から出金する硬貨枚数を計数するとともに、種別設定手段１２により設定された種別ごとに各金種の硬貨枚数を計数し、分割出金判定手段１３に種別ごとの枚数情報１５として渡す機能を有する。
【００４０】
分割出金判定手段１３は、分割出金設定出手段１１からの分割出金判定情報１４に基づいて分割して種別ごとに出金するか否かを判定し、分割または分割することなく一度に、種別枚数計数手段１０からの種別ごとの枚数情報１５に基づいて硬貨出金口４１６に出金させる機能を有する。
【００４１】
（動作）
以上の構成にて実施例１のＰＯＳレジスタ４０１および自動釣銭機４０７は、以下のように動作する。この動作を図３の動作フローチャートを用いて説明する。なお、以下の説明では、便宜上釣銭を出金させた後に預り金を自動釣銭機４０７に入金して計数する釣銭先行動作を例として説明するが、預り金の入金を先に行い釣銭として出金する入金先行動作であってもよい。
【００４２】
また、以下の説明では、単価６８０円の商品Ａを１個と単価４３２円の商品Ｂを１個購入し、合計１，１１２円を５千円札１枚で支払い、３，８８８円の釣銭が発生する場合を例とし、また、分割出金設定レジスタ１０１は分割出金の「１」が設定されており、高額硬貨設定レジスタ１０２および低額硬貨設定レジスタ１０３は図２のように設定されている場合を例として説明する。
【００４３】
まず、レジ係員は、商品Ａのバーコードを図示しないバーコードリーダで読み込ませる（ステップＳ２０１）。すると、ＰＯＳレジスタ４０１の操作表示部４０２には商品Ａの名称、単価６８０円、数量１と現在までの合計金額６８０円が表示される（ステップＳ２０２）。
【００４４】
次に、商品Ｂのバーコードをバーコードリーダで読み込ませると（ステップＳ２０３）、操作表示部４０２には前述の商品Ａの名称、単価、数量等の購入情報に追加して商品Ｂの名称と単価４３２円、数量１と現在までの合計金額１，１１２円が表示される（ステップＳ２０４）。
【００４５】
そして、レジ係員は、顧客から５，０００円を預かると、操作表示部４０２から預り金の金額５，０００円を入力する（ステップＳ２０５）。
【００４６】
そして、預り金の金額が入力されると、ＰＯＳレジスタ４０１の制御部４０５は商品の合計金額１，１１２円と預り金として５，０００円を比較し、自動釣銭機４０７に対して通信部４０４を介して釣銭として５，０００円−１，１１２円＝３，８８８円の出金指示を送信する（ステップＳ２０６）。
【００４７】
そして、ＰＯＳレジスタ４０１は、自動釣銭機４０７からの出金完了報告を待つ（ステップＳ２０７）。
【００４８】
次に、自動釣銭機４０７が通信部４０８から出金指示を受信すると（ステップＳ２０９）、制御部４１９は紙幣入出金部４１０と硬貨入出金部４１４に対して出金指示をする（ステップＳ２１０）。
【００４９】
出金指示を受けた紙幣入出金部４１０は釣銭紙幣として千円札３枚（３，０００円）を計数して紙幣入出金口４１１へ出金すると（ステップＳ２１１）、レジ係員は紙幣入出金口４１１から千円札３枚（３，０００円）を取り出し、金額を確認する。
【００５０】
そして、紙幣残留検知センサ４１３が紙幣の取り出しを確認すると（ステップＳ２１２）、硬貨入出金部４１４は釣銭硬貨８８８円を出金するが、まず、分割出金判定手段１３は、図１の分割出金設定レジスタ１０１にて分割出金設定がされているか否かを確認する（ステップＳ２１３）。
【００５１】
本例では、分割出金設定レジスタ１０１には分割出金設定手段１１により分割出金設定として「１」が設定されているので分割出金であると判断し、記憶部４２０に記憶されている高額硬貨設定レジスタ１０２を参照し、図２のように種別設定手段１２により高額硬貨として５００円硬貨、１００円硬貨、５０円硬貨が設定されているので、種別枚数計数手段１０により５００円硬貨１枚、１００円硬貨３枚、５０円硬貨１枚を計数し硬貨出金口４１６に出金する（ステップＳ２１４）。
【００５２】
すると、レジ係員は硬貨出金口４１６から５００円硬貨１枚、１００円硬貨３枚、５０円硬貨１枚の計５枚の硬貨を取り出し、金額８５０円を確認する。
【００５３】
そして、レジ係員が硬貨を硬貨出金口４１６から受け取ったことを硬貨残留検知センサ４１８で確認し（ステップＳ２１５）、受取りが完了しているときは、記憶部４２０に記憶されている低額硬貨設定レジスタ１０３を参照すると、図２のように種別設定手段１２により低額硬貨として１０円硬貨、５円硬貨、１円硬貨が設定されているので、種別枚数計数手段１０は残りの釣銭３８円として１０円硬貨３枚、５円硬貨１枚、１円硬貨３枚を計数して硬貨出金口４１６に出金する（ステップＳ２１６）。
【００５４】
すると、レジ係員は硬貨出金口４１６から１０円硬貨３枚、５円硬貨１枚、１円硬貨３枚、計７枚の硬貨を取り出し、金額３８円を確認する。
【００５５】
一方、ステップＳ２１３にて、分割出金設定レジスタ１０１が分割出金をしないとして「０」が設定されている場合は、高額硬貨と低額硬貨に分けて出金することなく、５００円硬貨１枚、１００円硬貨３枚、５０円硬貨１枚と、１０円硬貨３枚、５円硬貨１枚、１円硬貨３枚、計１２枚を一度に出金し、ステップＳ２１７に進む。
【００５６】
以上のように、分割出金設定として「１」が設定されているときは、高額硬貨と低額硬貨を分けて出金するので、一度に出金する場合と比較し、金種、枚数が少なくなり、硬貨出金口４１６からつかみ取りやすくなるとともに、金額の確認も容易となる。
【００５７】
そして、レジ係員が硬貨を硬貨出金口４１６から受け取ったことを硬貨残留検知センサ４１８で確認し（ステップＳ２１７）、受取りが完了していれば、通信部４０８を介して出金完了報告をＰＯＳレジスタ４０１に送信する（ステップＳ２１８）。
【００５８】
そして、ＰＯＳレジスタ４０１は、通信部４０４から出金完了報告を受信すると（ステップＳ２０７）、レシート印字部４０３で取引結果をレシートに印字する（ステップＳ２０８）。レジ係員は印字されたレシートと前述の釣銭を顧客に渡す。以降は従来技術と同様に預り金の入金処理を行う（ステップＳ５１３〜Ｓ５１９）。
【００５９】
なお、以上の実施例の説明では、高額硬貨と低額硬貨の２つの種別に分割して出金するように説明したが、さらに多くの種別に分割して設定できるようにし当該設定に基づいて分割して出金するようにしてもよい。また、高額硬貨および低額硬貨を出金するときにそれぞれその旨を音声ガイダンス等するようにするとなおよい。
【００６０】
（実施例１の効果）
以上のように実施例１の自動釣銭機によれば、金種ごとに特定の種別を設定する種別設定手段と、釣銭金額に応じて前記設定された種別ごとの枚数を計数する種別枚数計数手段と、前記種別ごとに分割して出金するか否かを判定するための分割出金判定情報を設定する分割出金設定手段と、前記種別ごとの枚数の情報と前記分割出金判定情報に基づいて、分割して出金するか否かを判定し前記種別ごとに分割または一度に出金させる分割出金判定手段を設け、前記分割出金判定情報は、種別ごとに分割して出金するか否かをあらかじめ設定した設定値とするようにしたので、低価格で簡単な構成で、短時間に釣銭硬貨を取り出して確認できるようにすることができる。
【実施例２】
【００６１】
（構成）
実施例２のＰＯＳレジスタおよび自動釣銭機の外観構成および内部構成は、実施例１の構成と同様であるので、簡略化のためにその詳細な説明は省略する。
【００６２】
図４（ａ）は実施例２の自動釣銭機の要部機能ブロック図であり、図４（ｂ）は実施例２の自動釣銭機の記憶部４２０の要部構成を示す図である。同図に示したように、実施例２の自動釣銭機では、分割出金設定手段２１を、詳細後述の分割出金閾値を設定できるようにし、分割出金判定手段２３を、種別ごとに分割して出金するか否かを前記分割出金閾値に基づいて判定できる構成としている。
【００６３】
また、図４（ｂ）に示したように、実施例２の自動釣銭機４０７の記憶部４２０の要部構成として、分割出金設定レジスタ１０１に代えて、分割出金をするか否かを判定するための閾値を種別ごとに設定する分割出金閾値レジスタ２０１を設けている。
【００６４】
図４（ａ）において、分割出金設定手段２１は、分割出金するか否かの基準となる種別ごとの枚数を閾値として設定し詳細後述の分割出金閾値レジスタ２０１に格納するとともに、分割出金判定手段２３に分割出金判定情報２４として渡す機能を有する。
【００６５】
分割出金判定手段２３は、分割出金設定出手段２１からの分割出金判定情報２４と種別枚数計数手段１０からの種別ごとの枚数情報１５に基づいて、分割して種別ごとに出金するか否かを判定し、種別ごとに分割または一度に、硬貨出金口４１６に出金させる機能を有する。
【００６６】
その他の要部機能ブロックおよび記憶部４２０の要部構成は実施例１と同様であるので同様の構成については、その詳細な説明を省略する。
【００６７】
図５は、前述の分割出金閾値レジスタ２０１の例示図を示したものであり、分割出金閾値として高額硬貨の閾値枚数として４ビット、低額硬貨の閾値枚数として４ビットで構成するようにしている。図５の例では、高額硬貨枚数はバイナリコード「００１１」で３枚、低額硬貨枚数もバイナリコード「００１１」で３枚に設定されていることを示している。なお、高額硬貨の閾値枚数として３ビット、低額硬貨の閾値枚数として５ビットなどの上記と異なるビット配分で設定するようにしてもよい。
【００６８】
（動作）
以上の構成にて実施例２のＰＯＳレジスタ４０１および自動釣銭機４０７は、以下のように動作する。この動作を図６の動作フローチャートを用いて説明する。
【００６９】
なお、図６の動作フローチャートは、図３の実施例１の自動釣銭機４０７の動作フローチャートのステップ２１３の処理Ａ、すなわち分割出金判定処理に置き換わるものであり、その他の動作は、実施例１のＰＯＳレジスタ４０１および自動釣銭機４０７の動作と同様であるので、同様の動作については、その詳細な説明は省略する。
【００７０】
また、以下の説明では、実施例１のＰＯＳレジスタ４０１および自動釣銭機４０７の動作と同様に、単価６８０円の商品Ａを１個と単価４３２円の商品Ｂを１個購入し、合計１，１１２円を５千円札１枚で支払い、３，８８８円の釣銭が発生する場合と、別の例として、単価６８０円の商品Ａを１個と単価５００円の商品を１個購入し、合計１，１８０円を５千円札１枚で支払い、３，８２０円の釣銭が発生する場合を例として説明する。
【００７１】
まず、最初の実施例１の動作と同様の例の場合では、硬貨の釣銭は８８８円であり、処理Ａ（分割出金判定処理）において、記憶部４２０に記憶されている高額硬貨設定レジスタ１０２を参照すると、高額硬貨として種別設定手段１２により図２のように５００円硬貨、１００円硬貨、５０円硬貨が設定されているので、高額硬貨は、種別枚数計数手段１０により５００円硬貨１枚、１００円硬貨３枚、５０円硬貨１枚で計５枚と計数され、これが種別ごとの枚数情報１５となる。
【００７２】
一方、高額硬貨の分割出金閾値枚数は、分割出金設定手段２１により分割出金閾値レジスタ２０１に３枚として設定されているので、これが分割出金判定情報２４となる。従って、高額硬貨の枚数（５枚）が分割出金閾値枚数（３枚）以上となるので、分割出金判定手段２３は分割出金を行なうとして次のステップに進む（ステップＳ３０１）。
【００７３】
そして、低額硬貨として種別設定手段１２により図２のように１０円硬貨、５円硬貨、１円硬貨が設定されているので、低額硬貨は、種別枚数計数手段１０により１０円硬貨３枚、５円硬貨１枚、１円硬貨３枚と計数され、これが種別ごとの枚数情報１５となる。
【００７４】
一方、低額硬貨の分割出金閾値枚数は、分割出金設定手段２１により分割出金閾値レジスタ２０１に３枚として設定されているので、これが分割出金判定情報２４となる。従って、低額硬貨の枚数（７枚）が分割出金閾値枚数（３枚）以上となるので、分割出金判定手段２３は分割出金を行なうと判定し（ステップＳ３０２）、実施例１の自動釣銭機４０７と同様、ステップＳ２１４に進み、以降の分割出金の処理を実施例１と同様に行う。
【００７５】
また、別の例、すなわち、単価６８０円の商品Ａを１個と単価５００円の商品を１個購入し、合計１，１８０円を５千円札１枚で支払い、３，８２０円の釣銭が発生した場合では、硬貨の釣銭は、５００円硬貨１枚、１００円硬貨３枚、１０円硬貨２枚となり、高額硬貨として種別設定手段１２により図２のように５００円硬貨、１００円硬貨、５０円硬貨が設定されているので、高額硬貨は、種別枚数計数手段１０により５００円硬貨１枚、１００円硬貨３枚の計４枚と計数され、これが種別ごとの枚数情報１５となる。
【００７６】
一方、高額硬貨の分割出金閾値枚数は、分割出金設定手段２１により分割出金閾値レジスタ２０１に３枚として設定されているので、これが分割出金判定情報２４となる。従って、高額硬貨の枚数（４枚）が分割出金閾値枚数（３枚）以上となるので、分割出金判定手段２３は分割出金を行なうとして次のステップに進む（ステップＳ３０１）。
【００７７】
そして、低額硬貨として種別設定手段１２により図２のように１０円硬貨、５円硬貨、１円硬貨が設定されているので、低額硬貨は、種別枚数計数手段１０により１０円硬貨２枚の計２枚と計数され、これが種別ごとの枚数情報１５となる。
【００７８】
一方、低額硬貨の分割出金閾値枚数は、分割出金設定手段２１により分割出金閾値レジスタ２０１に３枚として設定されているので、これが分割出金判定情報２４となる。従って、低額硬貨の枚数（２枚）が分割出金閾値枚数（３枚）未満となるので、分割出金判定手段２３は分割出金を行なわないと判定し（ステップＳ３０２）、５００円硬貨１枚、１００円硬貨３枚、１０円硬貨２枚の合計６枚の硬貨を硬貨出金口４１６に一度に出金し、ステップＳ２１７に進み、以降の処理を実施例１と同様に行う。
【００７９】
以上のように、釣銭硬貨の枚数が多く釣銭金額の確認が難しくなる場合は、分割出金して釣銭金額の確認を容易にし、釣銭硬貨の枚数が少なく釣銭金額の確認が容易な場合は、分割出金せずに一度に出金するようにし処理時間を短くする。
【００８０】
なお、以上の実施例の説明では、高額硬貨の枚数が高額硬貨の分割出金閾値の枚数以上となり、かつ低額硬貨の枚数が低額硬貨の分割出金閾値の枚数以上のときに分割出金とするように説明したが、高額硬貨の枚数が高額硬貨の分割出金閾値の枚数以上となった場合、または低額硬貨の枚数が低額硬貨の分割出金閾値の枚数以上となった場合に分割出金とするようにしてもよい。また、高額硬貨および低額硬貨を出金するときにその旨を音声ガイダンス等するようにするとなおよいことは実施例１と同様である。
【００８１】
（実施例２の効果）
以上のように実施例２の自動釣銭機によれば、金種ごとに特定の種別を設定する種別設定手段と、釣銭金額に応じて前記設定された種別ごとの枚数を計数する種別枚数計数手段と、前記種別ごとに分割して出金するか否かを判定するための分割出金判定情報を設定する分割出金設定手段と、前記種別ごとの枚数の情報と前記分割出金判定情報に基づいて、分割して出金するか否かを判定し前記種別ごとに分割または一度に出金させる分割出金判定手段を設け、前記分割出金判定情報は、種別ごとの基準枚数であって、前記分割出金判定手段は、前記種別ごとの枚数と前記種別ごとの基準枚数とを比較して判定し当該判定結果に基づいて前記種別ごとに分割または一度に出金させるようにしたので、実施例１の効果に加え、釣銭硬貨の枚数に応じて分割または一度に出金させるようにすることができる。
【産業上の利用可能性】
【００８２】
以上述べたように、本発明は、特に硬貨を釣銭として取扱うレジの自動釣銭機や、自動販売機、券売機などに広く用いることができる。
【符号の説明】
【００８３】
１０  種別枚数計数手段
１１  分割出金設定手段
１２  種別設定手段
１３  分割出金判定手段
１４  分割出金判定情報
１５  種別ごとの枚数情報
１０１  分割出金設定レジスタ
１０２  高額硬貨設定レジスタ
１０３  低額硬貨設定レジスタ
２０１  分割出金閾値レジスタ
４０１  ＰＯＳレジスタ
４０２  操作表示部
４０３  レシート印字部
４０４  通信部
４０５  制御部
４０６  記憶部
４０７  自動釣銭機
４０８  通信部
４０９  操作表示部
４１４  硬貨入出金部
４１５  硬貨入金口
４１６  硬貨出金口
４１７  硬貨リジェクト口
４１９  制御部
４２０  記憶部
処理Ａ  分割出金判定処理
【図１】
2012178063.tif 000003
【図２】
2012178063.tif 000004
【図３】
2012178063.tif 000005
【図４】
2012178063.tif 000006
【図５】
2012178063.tif 000007
【図６】
2012178063.tif 000008
【図７】
2012178063.tif 000009
【図８】
2012178063.tif 000010
【図９】
2012178063.tif 000011